(57)【特許請求の範囲】
【請求項１】
本体に握り部を嵌着させた印判において、
前記本体は、前記印字体を有する印字受部と前記印字受部より立設された支柱からなり、
前記支柱には、前記印字受部側から印面加工機に保持できるような固定部と、前記印面加工機に設けられたマイクロスイッチにより印判の種類を認識できる識別部とを設け、
前記識別部には少なくても１つの凹部を設け、
前記支柱を覆い隠すように握り部を本体に嵌合させたことを特徴とする印判。
【請求項２】
印面加工機の保持部に印判の固定部を取り付け、更に印面加工機側にはマイクロスイッチを支柱の識別部に沿って設け、
前記識別部に設けられた凹部により前記マイクロスイッチのオンもしくはオフを組合せ選択可能にして印判の種類判別を行うことを特徴とする、請求項１に記載の印判の印面加工時の印判種別方法。
【発明の詳細な説明】
【０００１】
【産業上の利用分野】
本発明は、主要部品が握り部、本体からなる印判を印面加工機により加工する際の各種の識別を設けた印判と、この種の印判を種類ごとに印面加工機により判別させる方法に関するものである。
【０００２】
【従来の技術】
従来より印判の印面を加工するには、版下を作成し熱硬化性樹脂により印面を作成する方法が主流であり、印字体の素材はゴムや熱可塑性樹脂により印面を成形できるものである。しかし、製作設備や成形設備等が大掛りになり作成工程も多くなっており、顧客の注文に対して即座に商品供給を行えないといった問題がある。
こうしたことから、簡易にまた比較的短時間に印面を加工し顧客ニーズに対応する方法が検討されてきた。
【０００３】
先願には、特開昭５９−９３３７６号（以下、（イ）とする。）、特開平９−５２３４２号（以下、(ロ)とする。）、特開平９−１７４９８８号（以下、（ハ）とする。）、特許登録２５１２４１９号（以下、（二）とする。）と特許登録２６３５０４９号（以下、（ホ）とする。）がある。
【０００４】
（イ）は、リボンカセットを使用するプリンターの発明であり、明細書中にカセットの凹みに対応して、マイクロスイッチで検出してカセットのデーターを読み取るものである。
また、必要に応じて前記凹みにラベルを張り体裁を保っている。
特に（イ）は本出願とは目的、構成、効果を異にしている。
（ロ）は、印刷カセットの幅を検出するためにマイクロスイッチを設けていることが図４及び明細書中から明らかである。
【０００５】
（ハ）は、本願と同じ印章の識別で有るが、印判のホルダーの外観に凹みを数個設け、この凹みに対応する様にマイクロスイッチを並べてそのＯＮ，ＯＦＦの組合せにより印判を種別する。そして、必要がある場合凹み部分にシールを貼付して凹みを隠している。   （二）と（ホ）は、転写カセットの種別判断にマイクロスイッチを並べて上記と同様にＯＮ、ＯＦＦの組合せにより検知するものである。
【０００６】
以上のように、従来の発明からマイクロスイッチを使用することは公知であるが、それに対応する凹部の外観処理に問題を残し、そのままの露出状態やラベルを貼付するといったあと工程を加える必要があった。また特に（ハ）は本発明と同じ産業分野であり、印面加工時に商品の状態で加工しなければならず、加工機の中でインキ含侵を行うとインキ等で外観を汚すことになる。また、印面加工時の方向性も確認してセットしなければならず問題である。
【０００７】
【発明が解決しようとする課題】
本発明は、こうした従来の発明では、判別の為凹部を残し、外観上の処理に問題が生じ、隠蔽の為にラベル等を貼付しなければならない。また、商品の外観に凹部を設けたのではインキによる汚れと加工時のキズ等が発生する。
こうしたことにより本発明は、外観上も自由にデザイン可能であり、印面作成時においてもインキによる汚れや、キズ等により商品価値の低下を防止する印判及び印面加工時の印判種別方法を提供するものである。
【０００８】
【課題を解決するための手段】
上記の課題を解決するために完成された第１の発明の印判は、本体に握り部を嵌着させた印判において、前記本体は、前記印字体を有する印字受部と前記印字受部より立設された支柱からなり、前記支柱には、前記印字受部側から印面加工機に保持できるような固定部と、前記印面加工機に設けられたマイクロスイッチにより印判の種類を認識できる識別部とを設け、前記識別部には少なくても１つの凹部を設け、前記支柱を覆い隠すように握り部を本体に嵌合させたことを特徴とする。
また、第２の発明は、印面加工機の保持部に印判の固定部を取り付け、更に印面加工機側にはマイクロスイッチを支柱の識別部に沿って設け、前記識別部に設けられた凹部により前記マイクロスイッチのオンもしくはオフを組合せ選択可能にして印判の種類判別を行うことを特徴とする、第１の発明の印判の印面加工時の印判種別方法。
【０００９】
【実施例】
本発明の実施例を図１〜図１９より詳細に説明する。
１は、本体であり、下面に印字体２を保持しており、前記本体１には、印字受部３と前記印字受部３より立設した支柱４を有している。１Ａ、１Ｂ、１Ｃ、１Ｄは、それぞれの印面種類の異なる本体である。
更に前記支柱４は、印字受部３側から固定部５、識別部６を設けている。
固定部５は、長方形の断面を有する四角柱であり、印面加工機の溝状の切欠かれた保持部７に抜き差し自在に保持する。保持部７の厚さは、印字受部３の上面と識別部下方の段部下面までの距離と同じであり、ハメアイにより上記抜き差し可能としている。
【００１０】
３は、前記した通り印字体２を下面に保持した印字受部であり、形状は、長方形、正方形、円形、楕円形、三角形であり、これらに対し、固定部５の長方形の断面は、次ぎのように位置される。印字受部３が長方形の場合、長方形の長辺と長方形断面の短辺とが平行になるように設けられている。（図９）
印字受部３が正方形の場合、正方形の各辺と平行になるように設けられている。（図１０）
印字受部３が円形の場合、これは特に方向は問わない。
印字受部３が楕円形の場合、楕円の長直径が長方形断面の短辺と平行になるように設けられている。（図１１）
【００１１】
印字受部３が三角形の場合、三角形の三辺のうちどれかの辺が長方形断面の短辺と平行になるように設けられている。（図１２）
２は、前記したように印字体であり、ポリエチレン樹脂とカーボンが練りこまれて、連続多孔質となっている。本実施例では、印字体２は本体１の下面に貼り付けられているが、本体１の下面に保持されていればよく、リテーナー（印字体受け部材）を用いて印字体を本体に保持することも可能である。
【００１２】
６は、前記したように識別部であり、保持部７の奥に設けられたマイクロスイッチ８により前記識別部６を認識する。
識別部６は、周状の溝９を少なくとも１つのマイクロスイッチ８に合わせて設けており、印判の種類毎に溝９とマイクロスイッチ８を２ｎ設定できる。（ｎ：マイクロスイッチの数）
【００１３】
例えば、図１６、図１７によるとマイクロスイッチ８は、３個であり真中のマイクロスイッチ８のみ溝９に相対しＯＦＦ状態となっており、上下のマイクロスイッチ８は、ＯＮ状態となっている。こうして、前記した２ｎの種類の印判が設定できる。
したがって、マイクロスイッチ８の領域全てが識別部６となる。ここで、マイクロスイッチ８は支柱４の軸線に対して平行に設けられている。
【００１４】
更に本発明では、固定部５の長方形断面の長辺側側面に固定溝１０を両側に設け、保持部７のボールプランジャー１１により着脱自在に確実に印判を保持できる。
次ぎに印判を加工機保持部７にセットする方法について、図１３、図１４により加工機保持部７は、鍵穴状になっていて、最初印判の支柱４を円形部分に挿入し、固定部５の長方形断面の短辺方向を前後にして溝９の保持部７に挿入する。
この時、円形部分で印字受部３の上面を保持部７に押しつけ挿入するので、保持部７の厚さと印字受部３の上面と段部下面の距離が同じであるので印判は保持部７に固定され、奥まで挿入されることによりマイクロスイッチ８により印判を種別できて、ＣＰＵにより指定領域が決定され、保持部７にセットされた印判に適した印面をＣＰＵにより画面に表示する。
【００１５】
ここで印面を加工する加工機１５について説明する。
加工機１５は、制御部、操作部、印字部、露光部からなる構成である。
制御部は、ＣＰＵ、ＲＯＭ、ＲＡＭからなるコンピューターと、ビデオキャプチャーボード、サウンドボードからなる増設ボード、ストロボやセンサー等をコントロールする制御ボード、これらを接続するシステムバスを備えている。
【００１６】
操作部は、大きく表示部と入力操作部からなっている。表示部はタッチパネルを兼備したデイスプレーであり操作の確認、入力された文字、図、写真等の配置の確認を可能とし、こうして作成する印面を確認できる。また入力操作部は、表示部のタッチパネルとともに確認スイッチからなる。入力操作部は本実施例では、表示部のタッチパネルを使用しているが、一般的なキーボード入力も可能である。
【００１７】
印字部は、サーマルヘッドからなり、サーマルリボンにより透明フィルムに印字してポジ原稿を作成する。前記ポジ原稿は露光部に搬送される。露光部は、赤外線を発光するフラッシュランプであり、前記ポジ原稿と前記印判の印面を押圧してセットする。この状態で原稿側から赤外線を照射して印字されたポジ部で赤外線が遮蔽され、原稿の他の部分は赤外線が透過し、印面に到達し、印面を溶融して多孔質部分を潰して溶融シートされる。
印字部は一例としてサーマルヘッドを用いているが、ポジ原稿で、赤外線を遮蔽できる物質であればその材質は問わない。
【００１８】
こうして、作成された印面にインキを含侵させ捺印可能となって、加工機から取り出して、本体１の支柱４を覆い隠すように握り部１２を本体１に嵌合させ商品としての印判となる。また、印面側には、キャップ１３を用意して、本体１の下面を覆うように着脱自在に設けてもよい。
以上のように、印判の種類の識別部６を握り部１２で覆ったことにより、印判の外観が自由にデザインでき、また印面作成、インキ含侵後に握り部を取りつけるので外観を傷つけることもないし、汚すこともない。
【００１９】
特に本発明に使用する加工機での概略作業の流れ（図１８）と、印面作成におけるフローチャート(図１９)を表した。
Ｓ１００は、スタートボタンであり、加工機を起動させる。Ｓ１０１は、加工機に握り部を取り除いた印字体を有する本体を加工機保持部にセットすることである。
Ｓ１０２は、本体種別で加工機保持部７に保持された印判本体がどのような種類（長方形、正方形、円形、楕円形、三角形）であるか判別する。
この時、支柱の識別部に設けられた凹部の組み合わせと、マイクロスイッチ８により、加工機に保持された本体がどのような種類であるかを検知して印面の種類を表示部に表示させる。
Ｓ１０３は、印面デザイン工程であり図１９に詳細に説明する。Ｓ１０４は、印面加工工程であり、本実施例では赤外線発光により印字体に印面を加工する方法である。
Ｓ１０５、Ｓ１０６、Ｓ１０７は、順に加工機から本体を取り出し、インキを印面に手で塗布するものである。そして、握り部を本体に嵌合させ組み付ける。
【００２０】
特に図１９について説明すると、Ｓ２０１は本体識別であり、図１８のＳ１０２と同じである。
Ｓ２０２は書体選択であり、入力する文字フォント、書体を確認するものである。
Ｓ２０３は背景選択であり、印面の周囲を装飾したフレームの種類を選定するものである。
ここまでは、基本選択と称するものでありこの工程を終了していないと入力画面へはいけない。Ｓ２０４は項目入力であり、郵便番号、氏名等の文字、電話番号を入力する作業である。入力された項目について確認してよければ印面加工に進み、再度入力であればもう一度項目入力に戻る。
【００２１】
最後に、印面加工後の本体１を加工機より取り出して、印面にインキを含侵させ、本体に握り部を嵌着させる。以上で印判が完成することとなる。
【００２２】
【効果】
上記のように、印判の種類の識別部６を握り部１２で覆ったことにより、印判の外観が自由にデザインでき、また印面作成し、インキ含侵後に握り部を取りつけるので外観を傷つけることもないし、外観を汚すこともない。
【００２３】
【図面の簡単な説明】
【図１】本発明の実施例の丸型印（１８mm）の説明正面断面図
【図２】本発明の実施例の丸型印（１８mm）の説明側面断面図
【図３】本発明の実施例の丸型印（２５mm）の説明正面断面図
【図４】本発明の実施例の丸型印（２５mm）の説明側面断面図
【図５】本発明の実施例の角型印の説明正面断面図
【図６】本発明の実施例の角型印の説明側面断面図
【図７】本発明の実施例の丸型印（９mm）の説明正面断面図
【図８】本発明の実施例の丸型印（９mm）の説明側面断面図
【図９】本発明の実施例の長方形印字受部を有する本体平面図
【図１０】本発明の実施例の正方形印字受部を有する本体平面図
【図１１】本発明の実施例の楕円形印字受部を有する本体平面図
【図１２】本発明の実施例の三角形印字受部を有する本体平面図
【図１３】本発明の実施例の長方形印字受部を有する本体と加工機の一部斜視図
【図１４】本発明の実施例の加工機の一部平面図
【図１５】本発明の実施例の長方形印字受部を有する本体と加工機の一部断面図
【図１６】本発明の実施例のマイクロスイッチと印判との説明図
【図１７】本発明の実施例のマイクロスイッチと印判との説明図
【図１８】本発明の実施例の加工機操作フロー図
【図１９】本発明の実施例のフローチャート図
【符号の説明】
１  ：本体
２  ：印字体
３  ：印字受部
４  ：支柱
５  ：固定部
６  ：識別部
７  ：保持部
８  ：マイクロスイッチ
９  ：溝
１０  ：固定溝
１１  ：ボールプランジャー
１２  ：握り部
１３  ：キャップ
１５  ：加工機
【図１】
0004551512.tif 000002
【図２】
0004551512.tif 000003
【図３】
0004551512.tif 000004
【図４】
0004551512.tif 000005
【図５】
0004551512.tif 000006
【図６】
0004551512.tif 000007
【図７】
0004551512.tif 000008
【図８】
0004551512.tif 000009
【図９】
0004551512.tif 000010
【図１０】
0004551512.tif 000011
【図１１】
0004551512.tif 000012
【図１２】
0004551512.tif 000013
【図１３】
0004551512.tif 000014
【図１４】
0004551512.tif 000015
【図１５】
0004551512.tif 000016
【図１６】
0004551512.tif 000017
【図１７】
0004551512.tif 000018
【図１８】
0004551512.tif 000019
【図１９】
0004551512.tif 000020